【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
他の情報処理装置と通信可能な情報処理装置により情報を処理する情報処理方法であって、
前記他の情報処理装置から、ユーザを識別する識別情報を受信する識別情報受信工程と、
前記識別情報に対応付けられた、サービスを提供するサービスプロバイダの情報に基づき、当該サービスプロバイダへのログインを実行するログイン処理工程と、を有することを特徴とする情報処理方法。
【請求項２】
前記情報処理装置は、ユーザ毎に、当該ユーザが利用できるサービスプロバイダへのログインを実行する場合に必要なログイン名またはパスワードを、サービスプロバイダの情報として記憶することを特徴とする請求項１に記載の情報処理方法。
【請求項３】
前記他の情報処理装置から前記識別情報に対応する認証情報を受信する認証情報受信工程と、
前記識別情報及び前記認証情報に基づいてユーザを認証する認証工程とを有し、
認証が成功した場合に、サービスプロバイダへのログインが実行されることを特徴とする請求項１或いは２に記載の情報処理方法。
【請求項４】
前記他の情報処理装置から当該他の情報処理装置が有する機能を示す機能情報を受信する機能情報受信工程と、
前記識別情報に対応付けられたサービスプロバイダが提供するサービスに必要な機能と前記機能情報が示す機能とを比較する機能比較工程と、
前記機能比較工程による比較の結果、前記識別情報に対応付けられたサービスプロバイダが提供するサービスに必要な機能を前記他の情報処理装置が有していた場合、前記ログイン処理工程は、当該サービスプロバイダへのログインを実行することを特徴とする請求項１乃至３の何れかに記載の情報処理方法。
【請求項５】
前記機能比較工程による比較の結果、前記識別情報に対応付けられたサービスプロバイダが提供するサービスに必要な機能を前記他の情報処理装置が有していなかった場合にサービスに必要な機能が無い旨またはサービスプロバイダへのログインを実行していない旨を前記他の情報処理装置に通知する通知工程を更に有することを特徴とする請求項４記載の情報処理方法。
【請求項６】
前記ログイン処理工程によりログインを実行した前記サービスプロバイダに関するサービスプロバイダ情報を前記他の情報処理装置に通知する情報通知工程とを有することを特徴とする請求項１乃至５の何れかに記載の情報処理方法。
【請求項７】
前記他の情報処理装置は、前記サービスプロバイダ情報に基づき前記サービスプロバイダを制御するための操作ボタンまたはメニューを表示することを特徴とする請求項１乃至６の何れかに記載の情報処理方法。
【請求項８】
前記サービスプロバイダの提供するサービスは、指定した出力装置から情報を出力することを可能とする出力サービス、情報を保管する情報保管サービス、及びＦＡＸ送信する際にＦＡＸアドレスを参照するＦＡＸアドレス帳サービスのうちの少なくとも１つであることを特徴とする請求項１乃至７のいずれかに記載の情報処理方法。
【請求項９】
前記他の情報処理装置が有する機能とは、情報をプリント出力するためのプリント機能、情報をＦＡＸ送信するためのファクシミリ機能、データを転送するためのデータ転送機能、及び情報を表示するための情報表示機能のうちの少なくとも１つであることを特徴とする請求項４又は５に記載の情報処理方法。
【請求項１０】
前記他の情報処理装置がサービスプロバイダが提供するサービスに必要な複数の機能のうちの少なくとも１つを有していない場合に制限付ログインが実行されたことを前記他の情報処理装置に通知する制限付ログイン通知工程を有することを特徴とする請求項４又は５に記載の情報処理方法。
【請求項１１】
前記他の情報処理装置は、前記識別情報に対応しているサービスプロバイダのうちログインを実行しなかったサービスプロバイダが有る場合には、その旨を示す情報または警告情報を表示することを特徴とする請求項１乃至１０のいずれかに記載の情報処理方法。
【請求項１２】
前記他の情報処理装置は、前記識別情報に対応しているサービスプロバイダのうちログインを実行しなかった前記サービスプロバイダが有る場合には、ログインを実行しなかったサービスプロバイダに対応する表示事項を他の表示事項とは異なる状態で表示することを特徴とする請求項１乃至１０のいずれかに記載の情報処理方法。
【請求項１３】
前記他の情報処理装置は、前記制限付ログインが実行された場合には、その旨を示す情報または警告情報を表示することを特徴とする請求項１０に記載の情報処理方法。
【請求項１４】
前記他の情報処理装置は、前記制限付ログインが実行された場合には、前記制限付きログインを実行した前記サービスプロバイダに対応する表示事項を他の表示事項とは異なる状態で表示することを特徴とする請求項１０に記載の情報処理方法。
【請求項１５】
他の情報処理装置と通信可能な情報処理装置であって、
前記他の情報処理装置からユーザを識別する識別情報を受信する識別情報受信手段と、
前記識別情報に対応付けられた、サービスを提供するサービスプロバイダの情報に基づき、当該サービスプロバイダへのログインを実行するログイン処理手段とを有することを特徴とする情報処理装置。
【請求項１６】
前記他の情報処理装置から当該他の情報処理装置が有する機能を示す機能情報を受信する機能情報受信手段と、
前記識別情報に対応付けられたサービスプロバイダが提供するサービスに必要な機能と前記機能情報が示す機能とを比較する機能比較手段と、
前記機能比較手段による比較の結果、前記識別情報に対応付けられたサービスプロバイダが提供するサービスに必要な機能を前記他の情報処理装置が有していた場合、前記ログイン処理手段は、当該サービスプロバイダへのログインを実行することを特徴とする請求項１５に記載の情報処理装置。
【請求項１７】
外部の情報処理装置と通信可能な情報処理装置であって、
ユーザを識別する識別情報を前記外部の情報処理装置に送信する識別情報送信手段と、
前記識別情報に対応付けられたサービスを提供するサービスプロバイダのうち前記外部の情報処理装置によってログイン処理されたサービスプロバイダに関するサービスプロバイダ情報を前記外部の情報処理装置から受信する情報受信手段と、
前記サービスプロバイダ情報に基づいた画面を表示する表示手段とを有することを特徴とする情報処理装置。
【請求項１８】
機能を示す機能情報を前記外部の情報処理装置に送信する機能情報送信手段と、
前記外部の情報処理装置によってログイン処理されなかったサービスプロバイダに関する第２のサービスプロバイダ情報を前記外部の情報処理装置から受信する第２の情報受信手段と、
前記第２のサービスプロバイダ情報に基づいてサービスに必要な機能が無い旨またはサービスプロバイダへのログインを実行していない旨を表示する第２の表示手段とを有することを特徴とする請求項１７に記載の情報処理装置。
【請求項１９】
機能を示す機能情報を前記外部の情報処理装置に送信する機能情報送信手段と、
サービスに必要な複数の機能のうちの少なくとも１つを前記情報処理装置が有していないサービスプロバイダに関する第３のサービスプロバイダ情報を前記外部の情報処理装置から受信する第３の情報受信手段と、
前記第３のサービスプロバイダ情報に基づいて制限付ログインが実行された旨または前記複数のサービスの一部が使用可能である旨を表示する第３の表示手段を有することを特徴とする請求項１７に記載の情報処理装置。
【手続補正２】
【補正対象書類名】明細書
【補正対象項目名】００１６
【補正方法】変更
【補正の内容】
【００１６】
上記目的を達成するために、本発明の情報処理方法によれば、他の情報処理装置と通信可能な情報処理装置により情報を処理する情報処理方法であって、前記他の情報処理装置から、ユーザを識別する識別情報を受信する識別情報受信工程と、前記識別情報に対応付けられた、サービスを提供するサービスプロバイダの情報に基づき、当該サービスプロバイダへのログインを実行するログイン処理工程と、を有することを特徴とする。
【手続補正３】
【補正対象書類名】明細書
【補正対象項目名】００１７
【補正方法】変更
【補正の内容】
【００１７】
上記目的を達成するために、本発明の情報処理装置は、他の情報処理装置と通信可能な情報処理装置であって、前記他の情報処理装置からユーザを識別する識別情報を受信する識別情報受信手段と、前記識別情報に対応付けられた、サービスを提供するサービスプロバイダの情報に基づき、当該サービスプロバイダへのログインを実行するログイン処理手段とを有することを特徴とする。
【手続補正４】
【補正対象書類名】明細書
【補正対象項目名】００１８
【補正方法】変更
【補正の内容】
【００１８】
上記目的を達成するために、本発明の情報処理装置は、外部の情報処理装置と通信可能な情報処理装置であって、ユーザを識別する識別情報を前記外部の情報処理装置に送信する識別情報送信手段と、前記識別情報に対応付けられたサービスを提供するサービスプロバイダのうち前記外部の情報処理装置によってログイン処理されたサービスプロバイダに関するサービスプロバイダ情報を前記外部の情報処理装置から受信する情報受信手段と、前記サービスプロバイダ情報に基づいた画面を表示する表示手段とを有することを特徴とする。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】